(57)【要約】【課題】画像データ毎に画像形成モードをカラーモードおよび白黒モードのいずれかに切り換える切り換えモードが設定されている場合の生産性を向上させることができる画像形成装置を提供する。【解決手段】カラー／白黒自動切り換えモードが設定されている印刷ジョブの場合、印刷ジョブの各ページの画像データにおけるカラー画像データおよび白黒画像データの並び順および連続枚数などに基づいて所要時間Ｔｒ１と所要時間Ｔｒ２が算出される。そして、所要時間Ｔｒ１と所要時間Ｔｒ２に基づいて、画像形成に要する時間を短くする制御として、画像形成を、プロセススピードを切り換えずにカラースピードで行うか、カラースピードから白黒スピードへの切り換えを含むプロセススピードの切り換えを制御しながら行うが決定される（ステップＳ１０４〜Ｓ１０９）。【選択図】図８
2011059325.tif 000002
【特許請求の範囲】
【請求項１】
画像データ毎にカラー画像データであるか白黒画像データであるかに応じて、画像形成モードを、カラー画像形成を行うカラーモードと白黒画像形成を行う白黒モードとに切り換える切り換えモードを設定可能な画像形成装置であって、
ジョブに含まれる全ての画像データにおけるカラー画像データと白黒画像データとのそれぞれの並び順および連続枚数を算出する算出手段と、
プロセススピードを、カラー画像形成に対応可能な第１のプロセススピードと前記第１のプロセススピードより速い白黒画像形成に対応可能な第２のプロセススピードとに可逆的に切り換えるプロセススピード切り換え手段と、
前記切り換えモードが設定されている場合、前記ジョブに対する画像形成を、前記画像データに対応する画像形成モードにより、前記第１のプロセススピードで行うように制御する制御手段とを備え、
前記制御手段は、前記第１のプロセススピードで前記ジョブに対する画像形成を開始した後に、前記算出手段の算出結果および前記プロセススピードにより規定される複数の定数に基づいて、前記ジョブに対する画像形成に要する時間を短くするための制御を、画像形成を前記第１のプロセススピードで続行する第１の制御とするか、画像形成を、前記第１のプロセススピードから前記第２のプロセススピードへの切り換えを含むプロセススピードの切り換えを制御しながら行う第２の制御とするかを決定することを特徴とする画像形成装置。
【請求項２】
前記制御手段は、前記ジョブに対する出力部数が１部である場合、前記算出手段が前記カラー画像データと白黒画像データとのそれぞれの並び順および連続枚数の算出を終了した時点での前記ジョブに含まれる画像データのうちの残りの画像データに対する画像形成に要する時間を短くするための制御を前記第１の制御とするか前記第２の制御とするかを決定することを特徴とする請求項１に記載の画像形成装置。
【請求項３】
前記制御手段は、前記ジョブに対する出力部数が複数部である場合、前記算出手段が前記カラー画像データと白黒画像データとのそれぞれの並び順および連続枚数の算出を終了した時点で、前記ジョブに対する２部目以降の画像形成に要する時間を短くするための制御を前記第１の制御とするか、前記第２の制御とするかを決定することを特徴とする請求項１に記載の画像形成装置。
【請求項４】
前記制御手段は、前記ジョブに対する１部目の画像形成を、前記第１のプロセススピードで行うように制御することを特徴とする請求項３に記載の画像形成装置。
【請求項５】
前記制御手段は、前記算出手段の算出結果および前記プロセススピードにより規定される複数の定数に基づいて、前記ジョブに含まれる画像データのうちの残りの画像データに対する画像形成を前記第１の制御により行う場合の該画像形成に要する時間と、前記ジョブに含まれる画像データのうちの残りの画像データに対する画像形成を前記第２の制御により行う場合の該画像形成に要する時間とを算出し、該算出されたそれぞれの時間に基づいて、前記ジョブに含まれる画像データのうちの残りの画像データに対する画像形成に要する時間を短くするための制御を前記第１の制御とするか、前記第２の制御とするかを決定することを特徴とする請求項２に記載の画像形成装置。
【請求項６】
前記制御手段は、前記算出手段の算出結果および前記プロセススピードにより規定される１つ以上の定数に基づいて、前記ジョブに対する１部の画像形成を前記第１の制御により行う場合の該画像形成に要する時間と、前記ジョブに対する１部の画像形成を前記第２の制御により行う場合の該画像形成に要する時間とを算出し、該算出されたそれぞれの時間に基づいて、前記ジョブに対する２部目以降の画像形成に要する時間を短くするための制御を前記第１の制御とするか、前記第２の制御とするかを決定することを特徴とする請求項３または４に記載の画像形成装置。
【請求項７】
前記プロセススピードにより規定される複数の定数は、前記プロセススピードの切り換え時間、前記第１のプロセススピードで１枚当たりのカラー画像形成に要する時間、前記第１のプロセススピードで１枚当たりの白黒画像形成に要する時間、および前記第２のプロセススピードで１枚当たりの白黒像形成に要する時間であることを特徴とする請求項１ないし６のいずれか１項に記載の画像形成装置。
【請求項８】
画像データ毎にカラー画像データであるか白黒画像データであるかに応じて、画像形成モードを、カラー画像形成を行うカラーモードと白黒画像形成を行う白黒モードとのいずれかに切り換える切り換えモードを設定する設定手段と、プロセススピードを、前記カラーモードに対応可能な第１のプロセススピードと前記第１のプロセススピードより速い前記白黒モードに対応可能な第２のプロセススピードとに可逆的に切り換えるプロセススピード切り換え手段とを備える画像形成装置の制御方法であって、
ジョブに含まれる全ての画像データにおけるカラー画像データと白黒画像データとのそれぞれの並び順および連続枚数を算出する工程と、
前記切り換えモードが設定されている場合、前記ジョブに対する画像形成を、前記画像データに対応する画像形成モードにより、前記第１のプロセススピードで行うように制御する工程と、
前記第１のプロセススピードで前記ジョブに対する画像形成を開始した後に、前記算出手段の算出結果および前記プロセススピードにより規定される複数の定数に基づいて、前記ジョブに対する画像形成に要する時間を短くするための制御を、画像形成を前記第１のプロセススピードで続行する第１の制御とするか、画像形成を、前記第１のプロセススピードから前記第２のプロセススピードへの切り換えを含むプロセススピードの切り換えを制御しながら行う第２の制御とするかを決定する工程と
を有することを特徴とする画像形成装置の制御方法。
【発明の詳細な説明】
【技術分野】
【０００１】
本発明は、画像データ毎に、画像形成モードを、カラー画像形成を行うカラーモードと白黒画像形成を行う白黒モードとのいずれかに切り換える切り換えモードを設定可能な画像形成装置およびその制御方法に関する。
【背景技術】
【０００２】
カラー画像形成装置として、対応する色（Ｙ（イエロー）、Ｍ（マゼンタ）、Ｃ（シアン）、Ｂｋ（ブラック））のトナー像をそれぞれ形成する複数の画像形成ユニットを有するものがある。このカラー画像形成装置において、カラー画像形成を行うカラーモード時には、各画像形成ユニットによりそれぞれ形成されたトナー像が順に中間転写ベルト上に重ね合わされて転写され（一次転写）、フルカラーのトナー像が形成される。この中間転写ベルト上に転写されたフルカラーのトナー像は、給紙された用紙上に転写される（二次転写）。用紙上に転写されたフルカラーのトナー像は、定着装置により加熱、加圧されて用紙上に定着される。
【０００３】
ここで、カラーモード時の定着に関しては、白黒画像形成を行う白黒モード時より多量の熱量を必要とするので、定着装置を通過する用紙の速度が、カラーモードのプロセススピード（以下、カラースピードと略す）を基準に設定されている。即ち、カラーモードと白黒モードのそれぞれのプロセススピードとして、カラースピードが用いられている。
【０００４】
また、読み取った原稿が白黒原稿であるかカラー原稿であるかに応じて、コピーモードを白黒モードまたはカラーモードへ自動的に切り換えるカラー／白黒自動切り換えモードを設定可能なカラー画像形成装置が知られている。このカラー／白黒自動切り換えモードが設定されている場合、カラーモードまたは白黒モードのいずれにおいても、プロセススピードとしてカラースピードが用いられている。カラースピードは、白黒モードに対応可能なプロセススピード（以下、白黒スピードと略す）より遅いスピードである。換言すれば、白黒画像形成は、カラースピードより速いプロセススピードで行うことが可能である。
【０００５】
プロセススピードの切り換えにおいては、対応する駆動部の速度の切り換え例えばポリゴンミラー（その駆動モータ）の回転速度の切り換えが行われる。このポリゴンミラーの回転速度の切り換えにおいては、当該ポリゴンミラーの回転が安定するまでの待ち時間（数秒以上）が必要である。
【０００６】
ここで、カラー／白黒自動切り換えモードによるコピーモードの切り換えに応じてプロセススピードを切り換えると、プロセススピードを切り換える度に、上述した待ち時間が発生するので、生産性が著しく低下する場合がある。よって、カラー／白黒自動切り換えモードの場合、上記待ち時間の発生を無くすために、白黒モードまたはカラーモードのいずれにおいても、同じカラースピードが用いられる。
【０００７】
しかし、カラー／白黒自動切り換えモードが設定されている状態で、白黒原稿のみをコピーする場合、当該コピーに長い時間が掛ることになる。そこで、カラー／白黒自動切り換えモードの設定状態で、ユーザが白黒速度優先モードを選択した場合のみ、プロセススピードを白黒スピードに切り換えて画像形成を行うカラー画像形成装置が提案されている（特許文献１参照）。
【先行技術文献】
【特許文献】
【０００８】
【特許文献１】特開２００３−２１５９８４号公報
【発明の開示】
【発明が解決しようとする課題】
【０００９】
しかしながら、カラー／白黒自動切り換えモードが設定されている状態で、ユーザが白黒速度優先モードを選択しなければ、白黒スピードより遅いカラースピードで画像形成が行われることになる。その結果、ユーザが白黒速度優先モードを選択せずに画像形成を行うと、当該画像形成に要する時間は、ユーザが白黒速度優先モードを選択した場合に比して、長くなる場合があり、生産性を向上させることができない。
【００１０】
本発明の目的は、画像データ毎に画像形成モードをカラーモードおよび白黒モードのいずれかに切り換える切り換えモードが設定されている場合の生産性を向上させることができる画像形成装置およびその制御方法を提供することにある。
【課題を解決するための手段】
【００１１】
本発明は、上記目的を達成するため、画像データ毎にカラー画像データであるか白黒画像データであるかに応じて、画像形成モードを、カラー画像形成を行うカラーモードと白黒画像形成を行う白黒モードとのいずれかに切り換える切り換えモードを設定可能な画像形成装置であって、ジョブに含まれる全ての画像データにおけるカラー画像データと白黒画像データとのそれぞれの並び順および連続枚数を算出する算出手段と、プロセススピードを、前記カラーモードに対応可能な第１のプロセススピードと前記第１のプロセススピードより速い前記白黒モードに対応可能な第２のプロセススピードとに可逆的に切り換えるプロセススピード切り換え手段と、前記切り換えモードが設定されている場合、前記ジョブに対する画像形成を、前記画像データに対応する画像形成モードにより、前記第１のプロセススピードで行うように制御する制御手段とを備え、前記制御手段は、前記第１のプロセススピードで前記ジョブに対する画像形成を開始した後に、前記算出手段の算出結果、前記プロセススピードの切り換え時間、前記カラーモードおよび前記白黒モードのそれぞれの１枚当たりの画像形成に要する時間に基づいて、前記ジョブに対する画像形成に要する時間を短くする制御として、前記ジョブに対する画像形成を、前記第１のプロセススピードで続行するか、前記第１のプロセススピードから前記第２のプロセススピードへの切り換えを含むプロセススピードの切り換えを制御しながら行うかを決定することを特徴とする画像形成装置を提供する。
【００１２】
また、本発明は、画像形成装置の制御方法を提供する。
【発明の効果】
【００１３】
本発明によれば、画像データ毎に画像形成モードをカラーモードおよび白黒モードのいずれかに切り換える切り換えモードが設定されている場合の生産性を向上させることができる。
【図面の簡単な説明】
【００１４】
【図１】は本発明の一実施の形態に係る画像形成装置の内部構成を示す縦断面図である。
【図２】図１のレーザスキャナユニット１０３ｙ〜１０３ｋの主要部構成を示す斜視図である。
【図３】図１の画像形成ユニット１０２ｙ〜１０２ｋの主要部構成を示す縦断面図である。
【図４】図１のカラー複写機の制御構成を示すブロック図である。
【図５】図４の操作部７００を示す平面図である。
【図６】本実施の形態の複合機とＬＡＮ８００を介して接続されるＰＣに表示される印刷設定画面に含まれる印刷モードプロパティ画面の一例を示す図である。
【図７】ポリゴンミラー５０３の回転速度をカラースピードに対応する回転速度まで立ち上げた後に白黒スピードに対応する回転速度へ切り換えた際のポリゴンミラー５０３の回転速度と時間との関係を示す図である。
【図８】印刷モードとしてカラー／白黒自動切り換えモードが設定されている印刷ジョブの処理の手順を示すフローチャートである。
【図９】印刷モードとしてカラー／白黒自動切り換えモードが設定されている印刷ジョブの処理の手順を示すフローチャートである。
【図１０】コピーモードとしてカラー／白黒自動切り換えモードが設定されているコピージョブの処理の手順を示すフローチャートである。
【図１１】出力部数が１部である印刷ジョブに含まれるカラー画像データおよび白黒画像データの並び順とそれぞれの連続枚数を模式的に示す図である。
【発明を実施するための形態】
【００１５】
以下、本発明の実施の形態について図面を参照しながら説明する。
【００１６】
図１は本発明の一実施の形態に係る画像形成装置の内部構成を示す縦断面図である。図２は図１のレーザスキャナユニット１０３ｙ〜１０３ｋの主要部構成を示す斜視図である。図３は図１の画像形成ユニット１０２ｙ〜１０２ｋの主要部構成を示す縦断面図である。ここでは、画像形成装置として、カラーコピー機能およびカラープリンタ機能を含む複数の機能を提供する複合機を説明する。
【００１７】
複合機は、図１に示すように、カラー画像を読み取り可能なリーダ１００およびカラー画像を形成可能なプリンタ２００を備える。リーダ１００は、原稿を１枚ずつ給送する自動原稿給送装置１１９および自動原稿給送装置１１９により給送された原稿上の画像をフルカラーで読み取ることが可能なスキャナ１１８を有する。スキャナ１１８は、読み取った原稿上の画像を示す画像データを、後述する画像処理部６００（図４）に出力する。プリンタ２００は、電子写真方式により、上記画像処理部６００（図４）から出力されたデータに基づいて、カラー画像または白黒画像を用紙上に形成する。
【００１８】
プリンタ２００は、詳細には、複数のレーザスキャナユニット１０３ｙ，１０３ｍ，１０３ｃ，１０３ｋおよび複数の画像形成ユニット１０２ｙ，１０２ｍ，１０２ｃ，１０２ｋを有する。
【００１９】
各レーザスキャナユニット１０３ｙ〜１０３ｋは、図２に示すように、レーザダイオード５０１と、画像信号に基づいて変調されたレーザ光を発光するようにレーザダイオード５０１を駆動するレーザドライバ５００を有する。このレーザダイオード５０１の前方には、ポリゴンモータ５０２によって等角速度で回転駆動されるポリゴンミラー５０３が配置されている。回転するポリゴンミラー５０３に入射したレーザ光は、左右に振られながら反射される。反射されたレーザ光は、結像レンズ５０４を経て折り返しミラー５０５で感光ドラム５１０に向けて反射され、感光ドラム５１０上に照射される。これにより、感光ドラム５１０の表面は、露光走査され、感光ドラム５１０の表面には、画像信号が示す画像の静電潜像が形成される。また、ポリゴンミラー５０３の反射方向の結像レンズ５０４の近傍には、レーザ光を検知するためのビーム検知センサ５０７が配置されている。このビーム検知センサ５０７の検知信号は、画像形成開始タイミングの検知に用いられる。
【００２０】
各画像形成ユニット１０２ｙ〜１０２ｋは、図３に示すように、感光ドラム５１０、現像器５１１、帯電ローラ５１２、感光ドラムクリーナ５１３などから構成される。感光ドラム５１０には、対応するレーザスキャナユニット１０３ｙ〜１０３ｋによる露光走査により、（イエロー（Ｙ）、マゼンダ（Ｍ）、シアン（Ｃ）、ブラック（Ｂｋ））の対応する色の静電潜像が形成される。現像器５１１は、感光ドラム５１０に形成された静電潜像をトナー像に現像化するためのトナーを感光ドラム５１０に供給する。帯電ローラ５１２は、感光ドラム５１０の一様に帯電する。感光ドラムクリーナ５１３は、感光ドラム５１０上に残留するトナーを回収する。
【００２１】
各画像形成ユニット１０２ｙ〜１０２ｋの感光ドラム５１０にそれぞれ形成されたトナー像は、一次転写ローラ１０５ｙ，１０５ｍ，１０５ｃ，１０５ｋにより、中間転写ベルト１０４に順に重ね合わせて転写される（一次転写）。これにより、フルカラーのトナー像が形成される。
【００２２】
中間転写ベルト１０４に転写されたトナー像は、二次転写位置において、二次転写ローラ１０６により、各用紙カセット１０９または手差しトレイ１１１から給紙された用紙上に転写される（二次転写）。
【００２３】
トナー像が転写された用紙は、定着ユニット１１３に送られる。定着ユニット１１３は、定着ローラ１１４ａおよび加圧ローラ１１４ｂを有し、定着ローラ１１４ａと加圧ローラ１１４ｂの間には、用紙を狭持搬送するためのニップ部が形成される。用紙は、上記ニップ部を通過する際に、加熱、加圧され、用紙に転写されたトナー像は、当該用紙上に定着される。
【００２４】
定着ユニット１１３を通過した用紙は、排紙フラッパ１１５により、インナー排紙トレイ１１６または排紙トレイ１１７に送られる。
【００２５】
各用紙カセット１０９は、対応するサイズの用紙を収納し、当該用紙は、給紙ローラ１１０によって給紙される。各用紙カセット１０９から給紙された用紙は、レジストレーションローラ１１２に向けて搬送される。そして、用紙は、レジストローションローラ１１２により斜行が補正された後、画像形成開始タイミングに合わせて二次転写ローラ１０６に向けて送り出される。手差しトレイ１１１には、用紙が載置され、当該載置された用紙は、給紙ローラ１２０によってレジストレーション１１２に向けて送り出される。
【００２６】
本実施の形態の複合機は、カラー／白黒自動切り換えモード、カラー画像形成を行うカラーモード、白黒画像形成を行う白黒モードのうちのいずれかの画像形成モードを設定可能であり、それぞれの画像形成モードにより画像形成を行うことができる。カラー／白黒自動切り換えモードは、ページ単位の画像データ毎にカラー画像データであるか白黒画像データであるかを判別し、この判別結果に基づいて画像形成モードをカラーモードまたは白黒モードに切り換えるモードである。
【００２７】
また、本実施の形態の複合機は、プロセススピードを、第１のプロセススピードと第２のプロセススピードとに可逆的に切り換え可能である。プロセススピードは、中間転写ベルト１０４、感光ドラム５１０、ポリゴンミラー５０３などの回転速度、用紙が上記二次転写位置（二次転写ローラ１０６）に突入してから定着ユニット１１３を抜けるまでの用紙の搬送速度を規定するスピードである。
【００２８】
上記第１のプロセススピードは、カラー画像形成に対応可能なプロセススピード（以下、カラースピードと略す）であり、カラーモードが設定されているときには、プロセススピードがカラースピードに切り換えられる。上記第２のプロセススピードは、白黒画像形成に対応可能なプロセススピード（以下、白黒スピードと略す）であって、カラースピードより速いスピードである。画像形成モードとして白黒モードが設定されているときには、プロセススピードがカラースピードに切り換えられる。ここで、白黒画像形成は、カラースピードで行うことは可能であるが、カラー画像形成は、白黒スピードで行うことはできない。
【００２９】
次に、本実施の形態の本実施の形態の複合機の制御構成について図４を参照しながら説明する。図４は図１のカラー複写機の制御構成を示すブロック図である。図５は図４の操作部７００を示す平面図である。
【００３０】
本実施の形態の複合機は、図４に示すように、コントローラ３００を有し、コントローラ３００は、ＣＰＵ３０１、ＲＯＭ３０２、ＲＡＭ３０３などから構成される。ＣＰＵ３０１は、操作部７００から入力されたユーザの指示または設定に応じた動作を実行するように、リーダ１００（原稿給送装置１１９およびスキャナ１１８）、プリンタ２００、外部Ｉ／Ｆ４００、画像処理部６００を制御する。この制御は、ＲＯＭ３０２に格納されているプログラムに従って実行される。この制御の際、ＲＡＭ３０３は、ＣＰＵ３０１の作業領域を提供する。
【００３１】
外部Ｉ／Ｆ４００は、ＬＡＮ８００を介して、コンピュータ（ＰＣ）などの外部装置と接続され、外部装置からの印刷ジョブを受信する。受信した印刷ジョブに含まれる画像データは、画像処理部６００に入力される。
【００３２】
画像処理部６００は、リーダ１００からの画像データおよび外部Ｉ／Ｆ４００が受信した印刷ジョブに含まれる画像データを入力し、入力された画像データに対して所定の処理を施す。処理された画像データは、プリンタ２００が処理可能なデータに変換された後に、プリンタ２００に出力される。ここで、画像処理部６００は、処理前の画像データまたは処理後の画像データを一時的に画像メモリ６０１に格納する。
【００３３】
操作部７００は、図５に示すように、指示、設定などを入力するためにユーザにより操作される複数のキー（例えばスタートキー７０１、テンキー群７０２など）および表示部７０３を有する。ユーザの各キーの操作により入力された指示または設定は、コントローラ３００のＣＰＵ３０１に入力され、ＣＰＵ３０１は、入力された指示または設定に基づいて、対応する制御を実行する。表示部７０３には、ＣＰＵ３０１からの信号に基づいて、現在の装置状態、設定状態、メッセージなどが表示される。また、表示部７０３には、コピーモードを設定するためのコピーモード設定キー７０４を含む複数のソフトキーが表示される。
【００３４】
コピーモード設定キー７０４は、コピーモード（画像形成モード）として、カラー／白黒自動切り換えモード、カラーモード、白黒モードの３つのうちの一つのモードを選択して設定するためのキーである。通常、カラー／白黒自動切り換えモードは、デフォルトモードとして設定される。
【００３５】
また、ＬＡＮ８００上のＰＣにおいて、本実施の形態の複合機を選択し、印刷モード（画像形成モード）として、カラー／白黒自動切り換えモード、カラーモード、白黒モードの３つのうちの一つのモードを選択して設定することが可能である。
【００３６】
このＰＣにおいて、印刷モードを設定する操作について図６を参照しながら説明する。図６は本実施の形態の複合機とＬＡＮ８００を介して接続されるＰＣに表示される印刷設定画面に含まれる印刷モードプロパティ画面の一例を示す図である。
【００３７】
ＰＣにおいて印刷モードを設定する際、まず、印刷設定画面（図示せず）が表示され、当該印刷設定画面で、利用するプリンタ、印刷部数などの基本的な項目の選択のための操作が、ユーザにより行われる。また、さらに詳細な設定を行う場合は、プロパティ画面が選択され、表示される。
【００３８】
上記プロパティ画面は、ページ設定タブ、仕上げタブ、給紙タブ、印刷モードタブを含む画面からなる。ページ設定タブは、原稿サイズ、出力用紙サイズ、出力部数、印刷の向きなどを設定するためのタブである。仕上げタブは、ソート、ステープルなどの仕上げに関する詳細な設定を行うためのタブであり、給紙タブは、給紙段などの設定を行うためのタブである。
【００３９】
ここで、印刷モードタブが選択されると、例えば図６に示すような、印刷モードの詳細を設定するための印刷モードプロパティ画面８０が表示される。この印刷モードプロパティ画面８０においては、印刷モードとして、カラー／白黒自動切り換えモード、カラーモード、白黒モードの３つのうちの一つのモードが選択可能である。ここでは、カラー／白黒自動切り換えモードが選択されており、「ＯＫ」ボタン８１が押下されると、カラー／白黒自動切り換えモードが印刷モードとして設定される。通常、カラー／白黒自動切り換えモードは、印刷モードのデフォルトとして設定されている。
【００４０】
このようにして印刷に関する設定が行われると、当該設定された内容および印刷する画像データを含む印刷ジョブが選択されたプリンタ（ここでは本実施の形態の複合機）に送信される。
【００４１】
本実施の形態の複合機は、印刷ジョブの場合、当該印刷ジョブに設定されている印刷モードにより画像形成を行い、また、コピージョブの場合、コピージョブに設定されているコピーモードにより画像形成を行う。
【００４２】
ここで、カラーモードが設定されている場合、カラースピードでカラーモードにより画像形成が行われ、白黒モードが設定されている場合、白黒スピードで白黒モードにより画像形成が行われる。カラー／白黒自動切り換えモードが設定されている場合、印刷ジョブまたはコピージョブに含まれる画像データ毎にカラー画像データであるか白黒画像データであるかの判別が行われる。そして、上記判別結果に基づいて画像形成モード（印刷モードまたはコピーモード）がカラーモードまたは白黒モードに切り換えられ、カラーモードまたは白黒モード即ち画像データに対応する画像形成モードにより画像形成が行われる。
【００４３】
次に、カラー／白黒自動切り換えモードについて詳細に説明する。
【００４４】
印刷ジョブまたはコピージョブにおいて、カラー／白黒自動切り換えモードが設定されている場合、まず、カラースピードで白黒モードによる画像形成を行うように、画像形成ユニット１０２ｋおよび一次転写ローラ１０５ｋのみがスタンバイされる。そして、ジョブに含まれる各ページの画像データ毎にカラー画像データであるか白黒画像データであるかの判別が行われ、上記判別結果に基づいて画像形成モードがカラーモードまたは白黒モードに切り換えられる。
【００４５】
例えば、最初のページの画像データが白黒画像データであれば、カラースピードで白黒モードによる画像形成が行われる。このカラースピードでの白黒モードによる画像形成は、途中でカラー画像データのページが入るまで、続行される。途中でカラー画像データのページが入ると、カラーモードによる画像形成を行うように、各画像形成ユニット１０２ｙ〜１０２ｃ、一次転写ローラ１０５ｙ〜１０５ｃがスタンバイされる。そして、プロセススピードをカラースピードに保持した状態で、カラーモードによる画像形成が行われる。このカラーモードは、次に白黒画像データのページが入るまで保持される。
【００４６】
最初から全ての画像形成ユニット１０２ｙ〜１０２ｋおよび一次転写ローラ１０５ｙ〜１０５ｋをスタンバイさせないのは、使用しない部材、部品に対してバイアス電荷などを印加した状態に保持すると、当該部材、部品などが無駄に消耗されるからである。ただし、消耗の問題がなければ、最初から全ての画像形成ユニット１０２ｙ〜１０２ｋおよび一次転写ローラ１０５ｙ〜１０５ｋをスタンバイさせるようにしてもよい。
【００４７】
ここで、例えばジョブに含まれる全てのページの画像データが白黒画像データである場合、ユーザが白黒モードを選択していれば、白黒スピードで画像形成を行うことができる。その結果、ジョブに対する画像形成を短時間で終了させることができる。しかし、ユーザが意図して白黒モードを選択しなければ、デフォルトモードであるカラー／白黒自動切り換えモードが設定されることになり、ジョブに対する画像形成は、カラースピードで行われることになる。この場合、ジョブに対する画像形成に要する時間が長くなる。即ち、印刷ジョブまたはコピージョブにおける生産性が低下することになる。
【００４８】
そこで、本実施の形態の複合機は、印刷ジョブまたはコピージョブにおいて、カラー／白黒自動切り換えモードが設定されている場合、ジョブに対する画像形成に要する時間を短くするための制御を、第１の制御とするか第２の制御とするかを決定する。この制御の決定は、変数Ａｓ１，Ａｓ２，Ｃ１，Ｃ２が算出された後に、変数Ａｓ１，Ａｓ２，Ｃ１，Ｃ２、およびプロセススピードにより規定される複数の定数（時間Ｔｅｘ，Ｔｃ，Ｔｋ１，Ｔｋ２）に基づいて、行われる。
【００４９】
ここで、第１の制御は、画像形成を、カラースピードで続行するようにする制御である。第２の制御は、画像形成を、カラースピードから白黒スピードへの切り換えを含むプロセススピードの切り換えを制御しながら行うようにする制御である。
【００５０】
変数Ａｓ１，Ａｓ２は、ジョブに含まれるカラー画像データと白黒画像データとのそれぞれの並び順である。変数Ｃ１，Ｃ２は、カラー画像データと白黒画像データとのそれぞれの連続枚数である。時間Ｔｅｘは、カラースピードから白黒スピードへまたはその逆に切り換える場合のプロセススピードの切り換え時間である。時間Ｔｃ，Ｔｋ１，Ｔｋ２は、それぞれ、カラースピードで１枚当たりのカラー画像形成に要する時間、カラースピードで１枚当たりの白黒画像形成に要する時間、白黒スピードで１枚当たりの白黒像形成に要する時間である。
【００５１】
ここで、プロセススピードをカラースピードから白黒スピードへまたはその逆に切り換える際にポリゴンミラー５０３が対応する回転速度に達して安定するまでの時間について図７を参照しながら説明する。図７はポリゴンミラー５０３の回転速度をカラースピードに対応する回転速度まで立ち上げた後に白黒スピードに対応する回転速度へ切り換えた際のポリゴンミラー５０３の回転速度と時間との関係を示す図である。
【００５２】
ポリゴンミラー５０３に対しては、精度が高い回転速度での回転が要求される。例えば図７に示すように、まず、ポリゴンモータ５０２により、ポリゴンミラー５０３の回転速度が零からカラースピードに対応する回転速度まで立ち上げられるとする。この場合、ポリゴンミラー５０３の回転速度がカラースピードに対応する回転速度に達して安定するまでに要する時間は、時間Ｔｅｘ１（ｓｅｃ）である。
【００５３】
カラースピードに対応する回転速度に保持されているポリゴンミラー５０３の回転速度を白黒スピードに対応する回転速度に切り換える場合、ポリゴンミラー５０３の回転速度が白黒スピードに対応する回転速度まで上げられる。ポリゴンミラー５０３の回転速度が白黒スピードに対応する回転速度に達して安定するまでに要する時間は、時間Ｔｅｘ２（ｓｅｃ）である。
【００５４】
ここで、ポリゴンミラー５０３の回転速度を零からカラースピードに対応する回転速度まで立ち上げる際の速度差は、カラースピードに対応する回転速度から白黒スピードに対応する回転速度に切り換える場合の速度差より大きい。しかし、時間Ｔｅｘ１と時間Ｔｅｘ２は、ほぼ同じ時間である。これは、ポリゴンミラー５０３の回転の慣性などが関連しているからである。例えば実際の機器においては、時間Ｔｅｘ１および時間Ｔｅｘ２は、約４秒となる。この時間Ｔｅｘ１または時間Ｔｅｘ２が、カラースピードから白黒スピードへの切り換えまたはその逆の切り換えに要する時間、即ちプロセススピードの切り換え時間Ｔｅｘとなる。
【００５５】
次に、印刷モードとしてカラー／白黒自動切り換えモードが設定されている印刷ジョブの処理について図８および図９を参照しながら説明する。図８および図９は印刷モードとしてカラー／白黒自動切り換えモードが設定されている印刷ジョブの処理の手順を示すフローチャートである。図８および図９のフローチャートに示す手順は、ＲＯＭ３０２に格納されているプログラムに従い、ＣＰＵ３０１により実行されるものである。
【００５６】
ＬＡＮ８００上のＰＣにおいてユーザが所望のファイルを印刷する際、ユーザは、使用するプリンタ、出力部数、印刷モードなどを選択し、設定する。そして、ＰＣからは、上記設定された内容および印刷するファイルを含む印刷ジョブが、ＬＡＮ８００を介して、送信される。
【００５７】
外部Ｉ／Ｆ４００がＰＣからの印刷ジョブを受信すると、図８に示すように、ＣＰＵ３０１は、受信した印刷ジョブに設定されている印刷モードがカラーモード、白黒モード、カラー／白黒自動切り換えモードのいずれであるかを判定する（ステップＳ１０１）。受信した印刷ジョブに含まれる各ページの画像データは、画像メモリ６０１に格納される。
【００５８】
上記ステップＳ１０１において印刷モードとしてカラーモードまたは白黒モードが設定されていると判定された場合、ＣＰＵ３０１は、カラーモードまたは白黒モードにより、対応するプロセススピードで画像形成を行うように制御する（ステップＳ１０２）。画像メモリ６０１に格納された各ページの画像データは、カラー画像データであるか白黒画像データであるか判別された後に、ページ順にプリンタ２００に送られる。そして、プリンタ２００は、画像データに対応する画像形成モード（カラーモードまたは白黒モード）により、対応するプロセススピード（カラースピードまたは白黒スピード）で、画像形成を行う。
【００５９】
上記ステップＳ１０１においてカラー／白黒自動切り換えモードが設定されていると判定された場合、ＣＰＵ３０１は、画像データに対応する画像形成モードにより、カラースピードで、画像形成を開始するように制御する（ステップＳ１０３）。画像メモリ６０１に格納された各ページの画像データは、カラー画像データであるか白黒画像データであるか判別された後に、ページ順にプリンタ２００に送られる。そして、プリンタ２００は、画像データに対応する画像形成モード（カラーモードまたは白黒モード）により、カラースピードで、画像形成を開始する。
【００６０】
次いで、ＣＰＵ３０１は、画像メモリ６０１に格納された各ページの画像データにおけるカラー画像データおよび白黒画像データの並び順および連続枚数を算出する（ステップＳ１０４）。上記算出結果は、ＲＡＭ３０３に記憶される。
【００６１】
次いで、ＣＰＵ３０１は、受信した印刷ジョブに設定されている出力部数が１部であるか否かを判定する（ステップＳ１０５）。
【００６２】
上記ステップＳ１０５において出力部数が１部であると判定された場合、ＣＰＵ３０１は、所要時間Ｔｒ１，Ｔｒ２をそれぞれ算出する（ステップＳ１０６）。所要時間Ｔｒ１は、第１の制御により、残りのページの画像データの画像形成を、プロセスピードを切り換えずにカラースピードで続行する場合に当該画像形成に要する時間である。所要時間Ｔｒ２は、第２の制御により、残りのページの画像データの画像形成を、カラースピードから白黒スピードへの切り換えを含むプロセススピードの切り換えを制御しながら行う場合に当該画像形成に要する時間である。ここで、残りのページの画像データとは、上記ステップＳ１０６でカラー画像データおよび白黒画像データの並び順および連続枚数の算出が終了した時点でまだ画像形成されていないページの画像データをいう。
【００６３】
各所要時間Ｔｒ１，Ｔｒ２の算出は、ＲＡＭ３０３に記憶された残りのページの画像データに対する変数Ａｓ１，Ａｓ２，Ｃ１，Ｃ２、および時間Ｔｅｘ，Ｔｃ，Ｔｋ１，Ｔｋ２に基づいて、行われる。また、所要時間Ｔｒ２は、カラー画像データのページから白黒画像データのページにまたはその逆に変わる場合のタイミングでプロセススピードを切り換えることを前提として、算出される。また、残りの画像データの最初のページの時点でのプロセススピードを切り換えることが可能である場合、このタイミングがプロセススピードの切り換えタイミングとして考慮される。また、複数の切り換えタイミングがある場合、この中から、画像形成に要する時間を最短するような１つ以上の最適な切り換えタイミングが抽出される。そして、抽出された１つ以上の切り換えタイミングでプロセススピードを切り換えることを条件として算出される時間が、所要時間Ｔｒ２となる。
【００６４】
次いで、ＣＰＵ３０１は、上記算出された所要時間Ｔｒ１と所要時間Ｔｒ２の間にＴｒ２＜Ｔｒ１の関係式が成立するか否かを判定する（ステップＳ１０７）。Ｔｒ２＜Ｔｒ１の関係式が成立すると判定された場合、ＣＰＵ３０１は、残りのページの画像データの画像形成に要する時間を短くするための制御を、第２の制御とすることを決定する（ステップＳ１０８）。この決定された第２の制御により、残りのページの画像データの画像形成が、カラースピードから白黒スピードへの切り換えを含むプロセススピードの切り換えを制御しながら行われる。そして、ＣＰＵ３０１は、本処理を終了する。
【００６５】
これに対し、上記ステップＳ１０７においてＴｒ２＜Ｔｒ１の関係式が成立しないと判定された場合、ＣＰＵ３０１は、残りのページの画像データの画像形成に要する時間を短くするための制御を、第１の制御とすることを決定する（ステップＳ１０９）。この決定された第１の制御により、残りのページの画像データの画像形成が、プロセススピードを切り換えることなく、カラースピードで続行される。そして、ＣＰＵ３０１は、本処理を終了する。
【００６６】
このように、出力部数が複数部である印刷ジョブの場合、残りのページの画像データに対する画像形成が、当該画像形成に要する時間を短くするために、第１または第２の制御により、行われる。
【００６７】
上記ステップＳ１０５において出力部数が１部でない即ち複数部であると判定された場合、図９に示すように、ＣＰＵ３０１は、所要時間Ｔｒ３，Ｔｒ４をそれぞれ算出する（ステップＳ１１０）。所要時間Ｔｒ３は、第１の制御により、１部の画像形成を、カラースピードで行う場合に当該１部の画像形成に要する時間である。また、所要時間Ｔｒ４は、第２の制御により、１部の画像形成を、カラースピードから白黒スピードへの切り換えを含むプロセススピードの切り換えを制御しながら行う場合に当該１部の画像形成に要する時間である。
【００６８】
各所要時間Ｔｒ３，Ｔｒ４の算出は、ＲＡＭ３０３に記憶された全てのページの画像データに対する変数Ａｓ１，Ａｓ２，Ｃ１，Ｃ２、および時間Ｔｅｘ，Ｔｃ，Ｔｋ１，Ｔｋ２に基づいて、行われる。また、所要時間Ｔｒ４は、所要時間Ｔｒ２と同様に、カラー画像データのページから白黒画像データのページにまたはその逆に変わる場合のタイミングでプロセススピードを切り換えることを前提として、算出される。ただし、プロセススピードの切り換えタイミングとしては、１ページ目から最終ページ目までにおけるプロセススピードが切り換え可能なタイミングが考慮されることになる。
【００６９】
次いで、ＣＰＵ３０１は、上記算出された所要時間Ｔｒ３と所要時間Ｔｒ４の間にＴｒ４＜Ｔｒ３の関係式が成立するか否かを判定する（ステップＳ１１１）。Ｔｒ４＜Ｔｒ３の関係式が成立すると判定された場合、ＣＰＵ３０１は、２部目以降の画像形成に要する時間を短くするための制御を、第２の制御とすることを決定する（ステップＳ１１２）。この決定された第２の制御により、２部目以降の画像形成が、カラースピードから白黒スピードへの切り換えを含むプロセススピードの切り換えを制御しながら行われる。ここで、１部目の画像形成は、カラースピードで行われる。そして、ＣＰＵ３０１は、本処理を終了する。
【００７０】
これに対し、上記ステップＳ１０７においてＴｒ４＜Ｔｒ３の関係式が成立しないと判定された場合、ＣＰＵ３０１は、２部目以降の画像形成に要する時間を短くするための制御を、第１の制御とすることを決定する（ステップＳ１１３）。この決定された第１の制御により、２部目以降の画像形成が、１部目の画像形成と同様に、プロセススピードを切り換えずにカラースピードで続行される。そして、ＣＰＵ３０１は、本処理を終了する。
【００７１】
このように、出力部数が１部である印刷ジョブの場合、１部目の画像形成は、カラースピードで行われ、２部目以降の画像形成は、当該画像形成に要する時間を短くするために、第１または第２の制御により、行われる。
【００７２】
次に、コピーモードとしてカラー／白黒自動切り換えモードが設定されているコピージョブの処理について図１０を参照しながら説明する。図１０はコピーモードとしてカラー／白黒自動切り換えモードが設定されているコピージョブの処理の手順を示すフローチャートである。図１０のフローチャートに示す手順は、ＲＯＭ３０２に格納されているプログラムに従い、ＣＰＵ３０１により実行されるものである。
【００７３】
ユーザがコピーを行う場合、ユーザは、原稿給送装置１１９に所望の原稿を載置し、必要な設定（出力部数の設定、濃度の設定、カラーモードの設定など）を行う。そして、ユーザは、スタートキー７０１を押下する。
【００７４】
スタートキー７０１が押下されると、図１０に示すように、コピージョブに設定されているコピーモードがカラーモード、白黒モード、カラー／白黒自動切り換えモードのいずれであるかを判定する（ステップＳ２０１）。このとき、原稿給送装置１１９から原稿が１枚ずつページ順に給送され、スキャナ１１８により読み取られる。スキャナ１１８からはページ単位の画像データが出力され、当該画像データは、ページ順に画像メモリ６０１に格納される。そして、画像データ毎にカラー画像データであるか白黒画像データであるかの判別が行われる。
【００７５】
上記ステップＳ２０１においてカラーモードまたは白黒モードが設定されていると判定された場合、ＣＰＵ３０１は、カラーモードまたは白黒モードにより、カラースピードまたは白黒スピードで、画像形成を行うように制御する（ステップＳ２０２）。これにより、画像メモリ６０１に格納された各ページの画像データは、カラー画像データであるか白黒画像データであるか判別された後に、ページ順にプリンタ２００に送られる。プリンタ２００は、カラーモードまたは白黒モードにより、カラースピードまたは白黒スピードで、画像形成を行う。そして、ＣＰＵ３０１は、本処理を終了する。
【００７６】
上記ステップＳ２０１においてカラー／白黒自動切り換えモードが設定されていると判定された場合、ＣＰＵ３０１は、画像データに対応する画像形成モードにより、カラースピードで、画像形成を開始するように制御する（ステップＳ２０３）。これにより、画像メモリ６０１に格納された各ページの画像データは、カラー画像データであるか白黒画像データであるか判別された後に、ページ順にプリンタ２００に送られる。そして、プリンタ２００は、画像データに対応するコピーモードにより、カラースピードで、画像形成を開始する。
【００７７】
次いで、ＣＰＵ３０１は、印刷ジョブの場合と同様に、ステップＳ１０４以降のステップを実行する。よって、ステップＳ１０４以降の説明は、省略する。
【００７８】
次に、出力部数が１部である印刷ジョブ（またはコピージョブ）において、当該印刷ジョブに対する画像形成に要する時間を短くするための制御の決定例について図１１を参照しながら説明する。図１１は出力部数が１部である印刷ジョブに含まれるカラー画像データおよび白黒画像データの並び順とそれぞれの連続枚数を模式的に示す図である。
【００７９】
ここでは、１枚当たりの白黒画像形成に要する時間Ｔｋ２，Ｔｋ１は、白黒スピードの場合は１秒、カラースピードの場合は１．２秒であるとする。また、プロセススピードの切り換え時間（カラースピードから白黒スピードへの切り換え時間）Ｔｅｘは、４秒であるとする。また、カラー画像データおよび白黒画像データの並び順とそれぞれの連続枚数を算出した時点での残りのページが（ｎ（ｎ＞１）＋１）ページ以降のページであり、（ｎ＋１）ページ目から最終ページまで白黒画像データのページが連続するものとする。
【００８０】
ここで、図１１に示すように、残りのページの画像データが（ｎ＋１）ページ目から（ｎ＋２０）ページまで（２０枚）連続する白黒画像データである場合を想定する。この場合、プロセススピードを切り換えずにカラースピードで、（ｎ＋１）ページ目から最終ページの（ｎ＋２０）ページ目までの白黒画像データに対する画像形成を行うと、当該画像形成に要する所要時間Ｔｒ１は、以下の時間となる。
【００８１】
Ｔｒ１＝１．２×２０＝２４
また、ｎページの画像形成が終了したタイミングｔでプロセススピードを白黒スピードに切り換えると、このタイミングｔから（ｎ＋２０）ページ目までの白黒画像データに対する画像形成に要する所要時間Ｔｒ２は、以下の時間となる。
【００８２】
Ｔｒ２＝４（プロセススピードの切り換え時間）＋１×２０＝２４
このように、残りの画像データが（ｎ＋１）ページ目から（ｎ＋２０）ページ目まで連続する白黒画像データである場合、所要時間Ｔｒ１と所要時間Ｔｒ２は、同じ時間になる。よって、残りの画像データが（ｎ＋１）ページ目から（ｎ＋２０）ページ目を超えて連続する場合、画像形成に要する時間を短くするための制御を第２の制御とすることにより、第１の制御より、画像形成に要する時間を短くすることができる。逆に、残りの画像データが（ｎ＋１）ページ目から（ｎ＋２０）ページ未満のページ目まで連続する場合、画像形成に要する時間を短くするための制御を第１の制御とすることにより、第２の制御より、画像形成に要する時間を短くすることができる。
【００８３】
ここで、１枚当たりの白黒画像形成に要する時間、プロセスピードの切り換え時間などの条件が異なれば、本例の画像形成に要する時間を短くするための制御とは、異なる制御が決定されることは言うまでもない。
【００８４】
また、連続する白黒画像データのページの後にカラー画像データのページが続く場合もあり、このような場合は、白黒スピードからカラースピードへの切り換え時間を考慮して、画像形成に要する時間を短くするための制御を決定する必要がある。
【符号の説明】
【００８５】
リーダ  １００
２００  プリンタ
３００  コントローラ
３０１  ＣＰＵ
３０２  ＲＯＭ
４００  外部Ｉ／Ｆ
５０２  ポリゴンミラー
５０３  ポリゴンモータ
６０１  画像メモリ
７００  操作部
７０４  コピーモード設定キー
【図１】
2011059325.tif 000003
【図２】
2011059325.tif 000004
【図３】
2011059325.tif 000005
【図４】
2011059325.tif 000006
【図５】
2011059325.tif 000007
【図６】
2011059325.tif 000008
【図７】
2011059325.tif 000009
【図８】
2011059325.tif 000010
【図９】
2011059325.tif 000011
【図１０】
2011059325.tif 000012
【図１１】
2011059325.tif 000013